(57)【要約】装置が、タグの表面上の接触パターンの情報を含む信号を受信し、識別した接触パターンと信号を受信する前に記憶された情報とを比較することで、受信した信号に基づいて接触パターンを識別し、タグ固有の情報が確認されたら、タグ固有の情報で特定される動作を行うものとすることができる。【選択図】図１
2010541089.tif 000002
【特許請求の範囲】
【請求項１】
タグ上の接触パターンの情報を含む信号を受信することと、
受信した前記信号に基づいて前記接触パターンを識別することと、
識別した前記接触パターンと前記信号を受信する前に記憶された情報とを比較することで、受信した前記信号におけるタグ固有の情報を確認することと、
前記タグ固有の情報が確認された場合、前記タグ固有の情報で特定される動作を行うことと
を含む方法。
【請求項２】
前記接触パターンを識別することは、
１または２以上の接触で形成されたジェスチャを識別すること
を含む、請求項１に記載の方法。
【請求項３】
ジェスチャを識別することは、
１本指ジェスチャ、２本指ジェスチャ、連続ジェスチャ、不連続ジェスチャ、近接ジェスチャ、スイープジェスチャのうちの少なくとも１つまたはタップとして前記ジェスチャを識別すること
を含む、請求項２に記載の方法。
【請求項４】
ユーザから第１の接触パターンを受け取ることと、
前記第１の接触パターンからパラメータを識別することと、
識別した前記パラメータを記憶することと
をさらに含む、請求項１に記載の方法。
【請求項５】
タグ固有の情報を確認することは、
識別した前記接触パターンからパラメータを取得することと、
取得した前記パラメータと記憶した前記パラメータとを比較することと
を含む、請求項４に記載の方法。
【請求項６】
パラメータを識別することは、
前記第１の接触パターンを完了するまでの時間を測定すること、
各接触の指のサイズを測定すること、
指の動きの速さを測定すること、
接触ごとに指の形を判定すること、
指の間の距離を測定すること、
前記ユーザと前記タグとの間の距離を測定すること、
指紋を判定すること
のうちの少なくとも１つを含む、請求項４に記載の方法。
【請求項７】
動作を行うことは、
データの要求を受け取ることと、
前記要求に応じて前記データを送ることと
を含む、請求項１に記載の方法。
【請求項８】
動作を行うことは、
ネットワークにおける遠隔装置から情報をダウンロードすること、
商取引を完了することと
のうちの少なくとも１つを含む、請求項１に記載の方法。
【請求項９】
動作を行うことは、
ダウンロードした前記情報を表示すること、
ダウンロードした前記情報を聴覚的に伝えること
のうちの少なくとも１つをさらに含む、請求項８に記載の方法。
【請求項１０】
前記タグへ搬送信号を送信し、前記タグから後方散乱信号を取得すること
をさらに含む、請求項１に記載の方法。
【請求項１１】
前記タグからの後方散乱信号の強度グラフに基づいて接触を識別すること
をさらに含む、請求項１に記載の方法。
【請求項１２】
遠隔タグから信号を受信するコンピュータ実行可能命令と、
受信した前記信号に基づいて前記遠隔タグ上の１または２以上の接触を識別するコンピュータ実行可能命令と、
識別した前記１または２以上の接触に基づいてジェスチャを識別するコンピュータ実行可能命令と、
識別した前記ジェスチャからパラメータを抽出するコンピュータ実行可能命令と、
抽出した前記パラメータと記憶されたパラメータとを比較するコンピュータ実行可能命令と、
抽出した前記パラメータと前記記憶されたパラメータとを比較した結果、一致した場合、受信した前記信号が提供する情報に基づいて遠隔装置と通信するコンピュータ実行可能命令と
を含むコンピュータ読出可能メモリ。
【請求項１３】
前記遠隔タグは、
受動的無線周波識別（ＲＦＩＤ）タグ、
能動的ＲＦＩＤタグ
のうちの１つを含む、請求項１２に記載のコンピュータ読出可能メモリ。
【請求項１４】
前記信号は、
前記遠隔タグに固有の情報、
前記遠隔タグが接触されたかどうかを示す情報、
接触パターンを識別する情報
のうちの少なくとも１つを含む、請求項１２に記載のコンピュータ読出可能メモリ。
【請求項１５】
前記１または２以上の接触を識別するコンピュータ実行可能命令は、
前記タグからの前記信号の強度グラフに基づいて１または２以上の接触を識別するコンピュータ実行可能命令
を含む、請求項１２に記載のコンピュータ読出可能メモリ。
【請求項１６】
前記遠隔タグへ信号を送信し、後方散乱信号を受信するコンピュータ実行可能命令
をさらに含む、請求項１２に記載のコンピュータ読出可能メモリ。
【請求項１７】
前記遠隔装置と通信するコンピュータ実行可能命令は、
前記情報で識別される製品の購入に関連した情報を提供するコンピュータ実行可能命令、
ネットワークにおける遠隔装置からコンテンツをダウンロードするコンピュータ実行可能命令
のうちの少なくとも１つを含む、請求項１２に記載のコンピュータ読出可能メモリ。
【請求項１８】
前記遠隔装置と通信するコンピュータ実行可能命令は、
前記情報で参照されるデータの要求を送るコンピュータ実行可能命令と、
前記要求に応じて前記遠隔装置から送られてくる前記データを受け取るコンピュータ実行可能命令と
を含む、請求項１７に記載のコンピュータ読出可能メモリ。
【請求項１９】
前記信号を受信する前に複数の接触パターンに関連した前記パラメータを記憶するコンピュータ実行可能命令
をさらに含む、請求項１７に記載のコンピュータ読出可能メモリ。
【請求項２０】
装置であって、
タグの表面上のジェスチャを、前記タグからの信号に基づいて識別する手段と、
前記ジェスチャを特徴づけるパラメータが前記装置に記憶されるパラメータに一致するかどうか判定する手段と、
前記ジェスチャを特徴づけるパラメータが前記装置に記憶されるパラメータに一致する場合、前記信号で提供される情報に基づいてネットワークに接続される１または２以上の遠隔装置で動作を行う手段と
を備える装置。
【発明の詳細な説明】
【技術分野】
【０００１】
【背景技術】
【０００２】
多くのコンピュータ装置や通信装置が、キーボードやキーパッドを当てにしてユーザインタフェースの一部を提供する。しかしながら、キーボードやキーパッドの使用は、しばしば厄介および／または不便なものである。加えて、タッチスクリーンを用いてキーボードやキーパッドをエミュレートする他の装置でも、キーボードやキーパッドを用いた装置に対して大きな改善を示さないことがある。
【発明の概要】
【０００３】
一観点によれば、方法が、タグ上の接触パターンの情報を含む信号を受信することと、受信した信号に基づいて接触パターンを識別することと、識別した接触パターンと信号を受信する前に記憶された情報とを比較することで、受信した信号におけるタグ固有の情報を確認することと、タグ固有の情報が確認された場合、タグ固有の情報で特定される動作を行うこととを含んでもよい。
【０００４】
加えて、接触パターンを識別することは、１または２以上の接触で形成されたジェスチャを識別することを含んでもよい。
【０００５】
加えて、ジェスチャを識別することは、１本指ジェスチャ、２本指ジェスチャ、連続ジェスチャ、不連続ジェスチャ、近接ジェスチャ、スイープジェスチャのうちの少なくとも１つまたはタップとして前記ジェスチャを識別することを含んでもよい。
【０００６】
加えて、上記方法は、ユーザから第１の接触パターンを受け取ることと、第１の接触パターンからパラメータを識別することと、識別したパラメータを記憶することとをさらに含んでもよい。
【０００７】
加えて、タグ固有の情報を確認することは、識別した接触パターンからパラメータを取得することと、取得したパラメータと記憶したパラメータとを比較することとを含んでもよい。
【０００８】
加えて、パラメータを識別することは、第１の接触パターンを完了するまでの時間を測定すること、各接触の指のサイズを測定すること、指の動きの速さを測定すること、接触ごとに指の形を判定すること、指の間の距離を測定すること、ユーザとタグとの間の距離を測定することと、指紋を判定することのうちの少なくとも１つを含んでもよい。
【０００９】
加えて、動作を行うことは、データの要求を受け取ることと、要求に応じてデータを送ることとを含んでもよい。
【００１０】
加えて、動作を行うことは、ネットワークにおける遠隔装置から情報をダウンロードすること、商取引を完了することとのうちの少なくとも１つを含んでもよい。
【００１１】
加えて、動作を行うことは、ダウンロードした情報を表示すること、ダウンロードした情報を聴覚的に伝えることのうちの少なくとも１つをさらに含んでもよい。
【００１２】
加えて、上記方法は、タグへ搬送信号を送信し、タグから後方散乱信号を取得することをさらに含んでもよい。
【００１３】
加えて、上記方法は、タグからの後方散乱信号の強度グラフに基づいて接触を識別することをさらに含んでもよい。
【００１４】
別の観点によれば、コンピュータ読出可能メモリが、遠隔タグから信号を受信するコンピュータ実行可能命令と、受信した信号に基づいて遠隔タグ上の１または２以上の接触を識別するコンピュータ実行可能命令と、識別した１または２以上の接触に基づいてジェスチャを識別するコンピュータ実行可能命令と、識別したジェスチャからパラメータを抽出するコンピュータ実行可能命令と、抽出したパラメータと記憶されたパラメータとを比較するコンピュータ実行可能命令と、抽出したパラメータと記憶されたパラメータとを比較した結果、一致した場合、受信した信号が提供する情報に基づいて遠隔装置と通信するコンピュータ実行可能命令とを含んでもよい。
【００１５】
加えて、遠隔タグは、受動的無線周波識別（ＲＦＩＤ）タグ、能動的ＲＦＩＤタグ、ポリマータグ、反射コードがある表面のうちの１つを含んでもよい。
【００１６】
加えて、信号は、遠隔タグに固有の情報、遠隔タグが接触されたかどうかを示す情報、接触パターンを識別する情報のうちの少なくとも１つを含んでもよい。
【００１７】
加えて、１または２以上の接触を識別するコンピュータ実行可能命令は、タグからの信号の強度グラフに基づいて１または２以上の接触を識別するコンピュータ実行可能命令を含んでもよい。
【００１８】
加えて、上記コンピュータ読出可能メモリは、遠隔タグへ信号を送信して後方散乱信号を受信するコンピュータ実行可能命令をさらに含んでもよい。
【００１９】
加えて、遠隔装置と通信するコンピュータ実行可能命令は、情報で識別される製品の購入に関連した情報を提供するコンピュータ実行可能命令、ネットワークにおける遠隔装置からコンテンツをダウンロードするコンピュータ実行可能命令のうちの少なくとも１つを含んでもよい。
【００２０】
加えて、遠隔装置と通信するコンピュータ実行可能命令は、情報で参照されるデータの要求を送るコンピュータ実行可能命令と、要求に応じて遠隔装置から送られてくるデータを受け取るコンピュータ実行可能命令とを含んでもよい。
【００２１】
加えて、上記コンピュータ読出可能メモリは、信号を受信する前に複数の接触パターンに関連したパラメータを記憶するコンピュータ実行可能命令をさらに含んでもよい。
【００２２】
さらに別の観点によれば、装置が、タグの表面上のジェスチャを、タグからの信号に基づいて識別する手段と、ジェスチャを特徴づけるパラメータが装置に記憶されるパラメータに一致するかどうか判定する手段と、ジェスチャを特徴づけるパラメータが装置に記憶されるパラメータに一致する場合、信号で提供される情報に基づいてネットワークに接続される１または２以上の遠隔装置で動作を行う手段とを備えてもよい。
【図面の簡単な説明】
【００２３】
本明細書に組み入れられて、その一部をなす添付図面は、発明を実施するための形態とともに、ここで説明する１または２以上の実施形態を示し、実施形態を説明するものである。
【００２４】
【図１】図１は、ここで説明する発想を実施可能なシステムを示す。
【図２】図２は、図１の装置の図の一例である。
【図３】図３は、図２の装置のブロック図の一例である。
【図４】図４は、図２の装置の機能ブロック図の一例である。
【図５】図５は、接触を利用して情報を伝送する処理の一例のフローチャートである。
【図６Ａ】図６Ａは、時間の関数として接触パターンの一例を示す。
【図６Ｂ】図６Ｂは、表示部の表面上の接触パターンの一例を示す。
【図６Ｃ】図６Ｃは、図６Ａおよび図６Ｂに示すパターンごとに取得可能な様々な種類のパラメータを含み得るテーブルを示す。
【図７】図７は、接触されたタグからの信号の強度のグラフの一例を示す。
【図８】図８は、ここで説明する発想の代替実施形態を示す。
【発明を実施するための形態】
【００２５】
以下の発明を実施するための形態では、添付図面を参照する。異なる図における同一参照番号は、同一のエレメントや同様のエレメントを識別することができる。
【００２６】
「接触（ｔｏｕｃｈ）」という言葉をここで用いた場合は、指、身体の一部、またはポインティングデバイス（例えば尖筆やペンなど）で触れることを指すことができる。接触については、物理的接触がなくとも、身体の一部やデバイスがセンサに近接して、センサが接触を検出した場合に起こるものと考えることができる。「タッチスクリーン（ｔｏｕｃｈ  ｓｃｒｅｅｎ）」という言葉をここで用いた場合は、接触に対して高感度である画面を指すのみでなく、指、身体の一部、またはデバイスが画面に近づくと接触を信号で伝える画面（例えば静電容量スクリーンや近接場スクリーンなど）を指すことができる。
【００２７】
「接触パターン」という言葉をここで用いた場合は、ある時間、１または２以上の接触を追跡することで表面に作られるパターンを指すことができる。
【００２８】
ここで説明する実施形態では、物体に対する一接触または一組の接触により、物体に関する情報が装置へ伝送されるものとすることができる。物体に触れた手は、その直後、その物体をつかんだり、別の物体に触れたりするなど、他の動作を自由に行うことができる。
【００２９】
例えば、ユーザが音楽を一曲ダウンロードしたいとする。例として、ユーザが、メディアコンテンツを表すタグ（例えば、歌のリストに付いているタグ）にある特定のジェスチャで触れるものとし、そのコンテンツがユーザの装置（例えば携帯電話）へダウンロードされるものとすることができる。別の例では、ユーザが食料品に触れ、その接触に対するフィードバックとして、音、振動、またはアイテムの情報をユーザの電話や別の装置（例えば電話に連結したヘッドセット）で得るものとすることができる。また別の例では、ユーザが家具屋で買い物をしており、ソファーの一部に触れたとすると、そのソファーのサイズの情報が提供されるものとすることができる。
【００３０】
図１は、ここで説明する発想が実施可能なシステムの一例を示している。図示するように、システム１００は、装置１０２と、タグ１０４と、無線アクセスポイント（ＷＡＰ：ｗｉｒｅｌｅｓｓ  ａｃｃｅｓｓ  ｐｏｉｎｔ）１０６と、ネットワーク１０８とを有する。他の実施形態では、システム１００がより多くの構成要素を有するものとしてもよいし、より少ない構成要素を有するものとしてもよいし、あるいは異なる構成要素を有するものとすることも可能である。
【００３１】
装置１０２は、以下の装置のうちいずれかを備えるものとすることができる。ゲームコンソール（例えばニンテンドーデュアルスクリーン（Ｎｉｎｔｅｎｄｏ  Ｄｕａｌ  Ｓｃｒｅｅｎ（ＤＳ））。無線電話や移動電話などの電話。セルラ無線電話にデータ処理能力、ファクシミリ能力、および／またはデータ通信能力を組合可能なパーソナル通信システム（ＰＣＳ：ｐｅｒｓｏｎａｌ  ｃｏｍｍｕｎｉｃａｔｉｏｎｓ  ｓｙｓｔｅｍ）端末。電子ノートパッド。ラップトップ。パーソナルコンピュータ（ＰＣ：ｐｅｒｓｏｎａｌ  ｃｏｍｐｕｔｅｒ）。無線電話を備えることが可能な携帯情報端末（ＰＤＡ：ｐｅｒｓｏｎａｌ  ｄｉｇｉｔａｌ  ａｓｓｉｓｔａｎｔ）。あるいは無線周波識別（ＲＦＩＤ：ｒａｄｉｏ‐ｆｒｅｑｕｅｎｃｙ  ｉｄｅｎｔｉｆｉｃａｔｉｏｎ）受信部および／またはＲＦＩＤタグを有する他の種類の計算装置や通信装置。
【００３２】
タグ１０４は、タグ１０４上の接触に基づいて情報を送信する装置や物体を備えるものとすることができる。この情報については、タグ１０４が触れられたかどうかを示したり、接触パターンとタグ１０４とに関連した識別子／情報を含んだりしたものとすることができる。一実施形態において、タグ１０４は、内部電源を有していない受動的物体を備えたもの（例えばポリマータグ、反射マトリックスコードタグ、マイクロチップタグなど）とすることができる。かかる実施形態では、タグ１０４は、装置１０２またはリモートソースから信号を後方散乱（例えば反射）することで情報を送るものとすることが可能である。タグ１０４から装置１０２への後方散乱信号の強度およびパターンについては、タグ１０４上の接触によって起きる干渉パターンに依存することがある。別の実施形態では、タグ１０４は内部電源を備え、信号を生成するものとすることができる。かかる実施形態では、タグ１０４は、ある接触パターンを検出し、検出したパターンにしたがってその信号／情報を符号化／変調するものとすることができる。符号化／変調した信号は、任意の範囲内の全装置へ送信されるものとすることができる。
【００３３】
ＷＡＰ１０６は、無線信号および／または有線信号を送受信可能なルータや、ネットワークへのアクセスを提供するその他のデバイスなど、ネットワーク１０８にアクセスするデバイスを備えたものとすることができる。ＷＡＰ１０６は、何らかの無線通信プロトコルを用いて装置１０２と通信を行うものとすることができる。装置１０２は、ＷＡＰ１０６を介してネットワーク１０８へ接続するものとすることができる。他の実施形態では、装置１０２は、有線接続および／または無線接続を介してネットワーク１０８へ接続するものとすることができる。
【００３４】
ネットワーク１０８としては、インターネット、アドホックネットワーク、ローカルエリアネットワーク（ＬＡＮ：ｌｏｃａｌ  ａｒｅａ  ｎｅｔｗｏｒｋ）、ワイドエリアネットワーク（ＷＡＮ：ｗｉｄｅ  ａｒｅａ  ｎｅｔｗｏｒｋ）、メトロポリタンエリアネットワーク（ＭＡＮ：ｍｅｔｒｏｐｏｌｉｔａｎ  ａｒｅａ  ｎｅｔｗｏｒｋ）、セルラネットワーク、公衆交換電話網（ＰＳＴＮ：ｐｕｂｌｉｃ  ｓｗｉｔｃｈｅｄ  ｔｅｌｅｐｈｏｎｅ  ｎｅｔｗｏｒｋ）、イントラネット、その他のネットワークやネットワークの組合せが挙げられる。
【００３５】
図１において、ユーザがタグ１０４から装置１０２へ情報（植物性食品の製品情報）を伝送したい場合、所定のジェスチャにしたがってタグ１０４に触れるものとすることができる。応じて、タグ１０４は、タグに関する情報と接触パターンとを装置１０２へ搬送することができる。装置１０２はパターンを検出し、パターンを確認し、搬送されてきた情報を用いてある動作を行う（例えば製品に関する情報をユーザへ中継したり、商取引を行ったりなどする）ものとすることができる。
【００３６】
装置の一例
図２は、装置１０２に相当し得るブロック図の一例である。図示するように、装置１０２は、カメラ２０２と、スピーカ２０４と、表示部２０６と、制御ボタン２０８と、キーパッド２１０と、マクロフォン２１２と、筐体２１４とを備えたものすることができる。カメラ２０２は、ユーザが装置１０２の前の被写体のメディア（例えば画像やビデオクリップ）の観察、キャプチャ、記憶を行うことを可能にするものとすることができる。スピーカ２０４は、装置１０２のユーザに可聴情報を提供するものとすることができる。表示部２０６は、動画や静止画などの視覚情報をユーザに提供する表示画面や、ユーザからの入力を受け取るタッチスクリーン（例えば静電容量スクリーン、近接場スクリーン）を含むものとすることができる。制御ボタン２０８は、ユーザが装置１０２とやり取りして、電話をかけたり受けたりするなど、１または２以上の動作を装置１０２に行わせることを可能にするものとすることができる。キーパッド２１０は、標準的な電話のキーパッドを含むものとすることができる。マイクロフォン２１２は、ユーザから可聴情報を受け取るものとすることができる。筐体２１４は、装置１０２の構成要素に対して外装を与え、外部から構成要素を保護するものとすることができる。
【００３７】
図３は、図２の装置１０２のブロック図の一例を示している。図示するように、装置１０２は、記憶部３０２と、処理部３０４と、ネットワークインタフェース３０６と、入出力デバイス３０８と、表示部３１０と、タグ送受信部３１２と、バス３１４とを備えたものとすることができる。他の実施形態では、装置１０２は、ズームレンズ部および／またはオートフォーカスセンサを備えたものとすることもできる。
【００３８】
記憶部３０２は、データおよび機械読取可能命令を記憶する読出専用メモリ（ＲＯＭ：ｒｅａｄ  ｏｎｌｙ  ｍｅｍｏｒｙ）などのスタティックメモリ、および／またはランダムアクセスメモリ（ＲＡＭ：ｒａｎｄｏｍ  ａｃｃｅｓｓ  ｍｅｍｏｒｙ）などのダイナミックメモリ、またはオンボードキャッシュを含むものとすることができる。記憶部３０２は、フロッピーディスク、ＣＤＲＯＭ、ＣＤ読取／書込（Ｒ／Ｗ：ｒｅａｄ／ｗｒｉｔｅ）ディスク、および／またはフラッシュメモリなどの記憶装置を含むものとすることも、他の種類の記憶装置を含むものとすることも可能である。処理部３０４は、装置１０２を制御可能な１または２以上のプロセッサ、マイクロプロセッサ、および／または処理論理回路を備えたものとすることができる。
【００３９】
ネットワークインタフェース３０６は、装置１０２が他の装置および／または他のシステムと通信することを可能とする送受信機のような機構を備えたものとすることができる。例えば、ネットワークインタフェース３０６は、インターネット、地上無線ネットワーク（例えば無線ローカルエリアネットワーク（ＷＬＡＮ：ｗｉｒｅｌｅｓｓ  ｌｏｃａｌ  ｎｅｔｗｏｒｋ））、衛星に基づくネットワークなどのネットワークを介して通信するための機構を備えたものとすることが可能である。追加的または代替的に、ネットワークインタフェース３０６は、モデム、ローカルエリアネットワーク（ＬＡＮ）に対するイーサネットインタフェース、および／または装置１０２を他の装置へ接続するインタフェース／接続（例えばブルートゥースインタフェース）を備えたものとすることもできる。さらに、ネットワークインタフェース３０６は、全地球測位システム（ＧＰＳ：Ｇｌｏｂａｌ  Ｐｏｓｉｔｉｏｎｉｎｇ  Ｓｙｓｔｅｍ）受信部などの受信部を備えたものとすることもできる。入出力デバイス３０８は、キーボード、キーパッド（例えば図２のキーパッド２１０）、ボタン（例えば制御ボタン２０８）、マウス、スピーカ（例えばスピーカ２０４）、マイクロフォン（例えばマイクロフォン２１２）、デジタルビデオディスク（ＤＶＤ：Ｄｉｇｉｔａｌ  Ｖｉｄｅｏ  Ｄｉｓｋ）ライタ、ＤＶＤリーダ、ユニバーサルシリアルバス（ＵＳＢ：Ｕｎｉｖｅｒｓａｌ  Ｓｅｒｉａｌ  Ｂｕｓ）ライン、および／または物理的事象や現象から装置１０２に関するデジタル信号への変換および／または装置１０２に関するデジタル信号から物理的事象や現象への変換を行う他の種類の装置を含むものとすることができる。
【００４０】
表示部３１０は、画面（例えば液晶ディスプレイ（ＬＣＤ：ｌｉｑｕｉｄ  ｃｒｙｓｔａｌ  ｄｉｓｐｌａｙ）、陰極線管（ＣＲＴ：ｃａｔｈｏｄｅ  ｒａｙ  ｔｕｂｅ）ディスプレイ、有機発光ダイオード（ＯＬＥＤ：ｏｒｇａｎｉｃ  ｌｉｇｈｔ‐ｅｍｉｔｔｉｎｇ  ｄｉｏｄｅ）ディスプレイ、表面伝導電子放出ディスプレイ（ＳＥＤ：ｓｕｒｆａｃｅ‐ｃｏｎｄｕｃｔｉｏｎ  ｅｌｅｃｔｒｏ‐ｅｍｉｔｔｅｒ  ｄｉｓｐｌａｙ）、プラズマディスプレイ、電解放出ディスプレイ（ＦＥＤ：ｆｉｅｌｄ  ｅｍｉｓｓｉｏｎ  ｄｉｓｐｌａｙ）、双安定ディスプレイなど）およびタッチスクリーン上、またはユーザ入力インタフェースとして機能し得るパネル可能ディスプレイ上に画像として、装置１０２が生成した信号を表示可能なデバイスを備えたものとすることができる。例えば、ディスプレイ３１０としては、圧力センシティブ（例えば抵抗）ディスプレイオーバレイ、近接場センシティブ（例えば静電容量）ディスプレイオーバレイ、音響センシティブ（例えば表面音響波）ディスプレイオーバレイ、フォトセンシティブ（例えば赤外線）ディスプレイオーバレイ、および／またはディスプレイ３１０を入力装置として用いることを可能とする他の種類のディスプレイオーバレイを含むものとすることができる。
【００４１】
タグ送受信部３１２は、タグ１０４などのタグからデータ／信号を読み取るまたは受信するデバイスを備えたものとすることができる。ある実施形態では、タグ送受信部３１２は、タグ１０４へ信号を送信する送信部も備えたものとすることも可能である。これについては、タブ１０４がタグ送受信部３１２からの信号を受動的に後方散乱するという状況に用いる場合のあるものである。
【００４２】
バス３１４は、装置１０２の構成要素が互いに通信可能なインタフェースを提供するものとすることができる。
【００４３】
図４は、装置１０２が備えることが可能な構成要素の一例の機能ブロック図の一例である。図示するように、装置１０２は、データベース４０２と、ジェスチャエンジン４０４とを備えたものとすることができる。他の実施形態では、装置１０２は、図４に示したものよりも少ない構成要素を備えることも、追加構成要素を備えることも、異なる種類の構成要素を備えることも可能である（例えばウェブブラウザ）。
【００４４】
データベース４０２は、記憶部３０２（図３）に含まれ、ジェスチャエンジン４０４のための情報保存庫としてはたらくものとすることができる。例えば、ジェスチャエンジン４０４は、データベース４０２において、画像を取り出すおよび／または記憶するものとすることができる。ジェスチャエンジンは、タグ送受信部３１２において受信された信号を処理するハードウェアおよび／またはソフトウェアを含むものとすることができる。より具体的には、ジェスチャエンジン４０４は、タグ１０４から受信された信号を用いて、タグ１０４上の接触と、その接触に関するパターンとを検出し、タグ１０４に関する特定の情報を得るものとすることができる。タグ１０４に関する接触検出、パターン、特定の情報を用いて、情報を確認し、ある動作を行う（例えばネットワーク装置からタグ１０４に関するコンテンツをダウンロードする）ものとすることが可能である。確認ができたら、その動作を行うものとすることができる。
【００４５】
例えば、タグ送受信部３１２において受信された信号に応じて、ジェスチャエンジン４０４は、処理部３０４に、遠隔装置（例えばサーバ）から情報（例えば動画、静止画、音楽、リンク、テキスト、文書など）を受け取らせる、および／または遠隔装置（例えばサーバ）へ情報（例えば動画、静止画、音楽、リンク、テキスト、文書など）を送信させることができる。別の例では、ジェスチャエンジン４０４は、例えばユーザの電子財布／アカウントからの引き落としにより、遠隔装置からの情報の受取に関する取引（例えば購入）を完了させることができる。
【００４６】
接触を用いて情報を伝送する処理の一例
図５は、接触を用いて装置１０２へ情報を伝送する処理５００の一例を示している。処理５００はブロック５０２から開始するものとし、ここでは、装置１０２において接触パターンの決定および／または記憶を行うものとすることができる。接触パターンは、タッチスクリーンや装置１０２における接触に対して高感度な表面によって入力できる。別の実施形態では、接触パターンは、反射タグ、能動的ＲＦＩＤタグなどによって、遠隔入力できる。
【００４７】
図６Ａおよび図６Ｂは、決定可能な異なる種類のパターンを示している。ある実施形態では、様々なパターン認識システム（例えば人工神経ネットワークに基づくシステム、統計モデルに基づくシステム（例えば隠れマルコフモデル）、特徴認識システムなど）に基づいてパターンを決定可能である。図６Ａは、パターンを時間の関数として示している。図示するように、パターン６０２は多くのタップを含み得るものである。各タップは、入力スクリーン上の１または２以上の位置に到達し得るものであり、次のタップからある時間離れたものとなり得る。
【００４８】
図６Ｂは、表面（例えば表示部の表面）上の接触パターンを示している。図示するように、表面接触パターンとしては、１本指ジェスチャ、２本指ジェスチャ、連続ジェスチャ、不連続ジェスチャ、スイープジェスチャが挙げられる。その言葉通り、１本指ジェスチャおよび２本指ジェスチャは、それぞれ１本の指および２本の指で形成することができる。連続ジェスチャは、入力表面に対して途切れることなく移動する接触で形成することが可能であり、不連続ジェスチャは、複数の接触によって、その間を表面より途切れさせることで形成することが可能である。スイープジェスチャは、タグ１０４について、ある位置（例えばタグ１０４の上、下、左、右）から別の位置（例えばタグ１０４の下、上、右、左）へ身体の一部やポインティングデバイスを移動させることで形成することができる。スイープジェスチャは、タグ１０４に接触してもしなくても行うことが可能である。
【００４９】
図６Ｂでは、鍵として用いるとすると、最左端のジェスチャ（すなわち１本指ジェスチャ）が図示したものの中では最低レベルの安全性を提供し、最右端のジェスチャが最高レベルの安全性を提供する。異なる実施形態では、接触パターンは、追加の指（例えば３本指接触）、人体における異なる部分（例えば手のひら）、様々なポインティングデバイスによる接触、近接ジェスチャ（例えば身体の一部やポインティングデバイスでタグに触れずに行うジェスチャ）に関するパターンを含むものとすることができる。
【００５０】
装置１０２においてパターンからのパラメータの取得および／または記憶を行うことができる（ブロック５０４）。図６Ｃはテーブル６０４を示しており、図６Ａおよび図６Ｂに示したパターンごとに取得可能な種々のパラメータ（すなわちテーブル６０４の最左端の列の項目）が含まれている。図示するように、パラメータとしては、指のサイズ（すなわち入力表面上の接触領域のサイズ）、指の形（すなわち接触領域の形）、指の速さ、静電容量（すなわち身体の一部が入力表面に近づいた場合の入力表面における静電容量の変化）、時間（（すなわちパターン完了にかかった時間の量）、指の間の距離、パターン連続性（すなわちパターンを形成する接触が途切れた回数）、タグに対するポインティングデバイスが挙げられる。静電容量は、入力表示部として用いられた接触スクリーンに依存するものとし、指の間の距離はジェスチャに依存するものとすることができる。加えて、図６Ｃは、パターン（すなわちテーブル６０４の最上行の項目）ごとに、あるパラメータを抽出し、グラフィカルオブジェクトで表される情報を暗号化または複合する暗号／復号鍵の一部として使用可能かどうかを示している。例えば、図６Ｃでは、指の大きさを用いて、暗号鍵を形成するのに利用可能な文字列を導出することが可能であることをチェックマークが示しているとすることができる。異なる実施形態では、指紋や、指または手の３次元表現など、他のパラメータを接触パターンから得ることも可能である。
【００５１】
タグ１０４上の接触および接触パターンを検出可能である（ブロック５０６）。実施形態に応じて、タグ１０４上の接触および接触パターンは、装置１０２において検出するものとすることもできれば、タグ１０４において検出するものとすることもできる。
【００５２】
タグ１０４を能動的デバイスとして実施する場合、タグ１０４は、その表面上の接触および接触パターンを認識および決定するものとすることができる。ある実施形態では、接触パターンに関するパラメータを抽出し、近くの全装置へ無線送信することができる。タグ１０４を受動的物体として実施する場合、タグ１０４上の接触にしたがって、装置１０２から送信された信号がタグ１０４によって後方散乱し、後方散乱した信号を用いて接触を推察し、接触パターンを再構成することができる。
【００５３】
図７は、タグ１０４が受動的タグとして実施されていると仮定し、タグ１０４に接触があった際のタグ１０４からの信号の強度のグラフの一例を示している。タグ送受信部３１２をもったユーザがタグ１０４に近づくにつれて、信号強度は増大し得る（例えば図７の領域Ｔ１）。ユーザの手や身体の先端がタグ１０４に触れ、タグ１０４の一部を覆うと、タグ１０４の閉塞のため信号強度は急激に低下し得る（例えば領域Ｔ２）。ユーザの手がタグ１０４から離れると、信号は以前の強度レベルを取り戻し得る。ユーザとタグ送受信部３１２がタグ１０４から離れると、信号強度は徐々に低減し得る。
【００５４】
異なる実施形態では、図７に示すような強度グラフは必ずしも接触によって生成されるものではない場合もある。例えば、タグ１０４の色々な部分で到来信号を後方散乱させたり、受動的タグの他の部分と異なって信号を送信させたりすることで、タグ１０４の表面上の接触が、装置１０２における接触パターンの再構成に利用可能な信号を伝えるものとすることも可能である。
【００５５】
図５に戻るが、ブロック５０８では、検出したパターンを用いて、タグ１０４に固有の情報を確認できる。上述のように、タグ１０４からの信号は、接触パターンに加えて、タグ１０４に固有の情報をもっているものとすることができる。検出したパターンとブロック５０２で記憶したパターンうちの１つとを整合することで、ユーザが接触パターンを生成させたと装置１０２が確認できた場合に、情報は装置１０２によって確認されるものとすることができる。ある実施形態では、パターンの整合は、ブロック５０４で記憶したパラメータと検出したパターンのパラメータとの比較を伴うこともある。例えば、タグ１０４が接触に基づいてパターン検出を行い、検出したパターンからパラメータを抽出し、装置１０２へパラメータを送ると仮定する。このような場合、装置１０２は、受け取ったパラメータとブロック５０４で記憶したパラメータとを比較するものとすることができる。
【００５６】
情報が確認されると、情報によって特定された、あるいは情報に関連したある動作を行うことができる（ブロック５１０）。この動作は、装置１０２とネットワーク１０８における装置との間の情報交換やネットワーク１０８における他の装置を介した商取引などの一連の通信事象を含むものとすることができる。例えば、タグ１０４からの情報がユニバーサルリソースロケータ（ＵＲＬ：Ｕｎｉｖｅｒｓａｌ  Ｒｅｓｏｕｒｃｅ  Ｌｏｃａｔｏｒ）を特定するものである場合、装置１０２でＵＲＬにアクセスし、ＵＲＬにより特定されたサイトにおいてウェブ取引を行うことができる。別の例では、その情報は、ネットワークアドレス、ポート番号、認証情報、無線通信を介して装置１０２が遠隔データベースにアクセス可能な鍵を提供するものとすることも可能である。データベースは、鍵に基づいて、製品情報を装置１０２に提供するものとすることができる。さらに他の実施形態では、かかる情報を接触パターンと一緒に装置１０２へ送ることも可能である。
【００５７】
実施形態に応じて、動作には、タグ１０４からの情報の受信に用いるチャネルまたはリンクとは異なる通信チャネルまたはリンクを含むこともできる。例えば、装置１０２は、ＷＬＡＮを介してネットワーク１０８における装置と通信することも可能であり、またブルートゥースリンクや赤外線リンクを介してタグ１０４と通信することも可能である。
【００５８】
ブロック５１２では、簿記動作を行うことができる。例えば、タグ１０４に固有の情報がブロック５０８で確認されなかった場合、情報および／または接触パターンを装置１０２より検出するものとすることができる。別の例では、動作が金銭取引を含む場合、適切なアカウントに課金したり信用貸しをしたりすることができる。値引きクーポンの形で信用貸しが提供される場合、クーポンはコンテンツの購入の際に使用できる。
【００５９】
上記において、装置１０２と同様の装置をもった別の人が装置１０２のユーザに接近するものとする。このような場合には、タグ１０４からの信号の範囲が限られている（例えば１．５メートル）ため、問題はあまり起こり得ない。この限られた範囲によって、当該範囲に入らない限り他のユーザは接触パターンを受信できないとすることが可能である。さらに、タグ１０４における接触パターンはある特定の装置に固有とすることができるため、他のユーザがもっている装置は接触パターンに基づいてタグ固有の情報を確認できないとすることも可能である。
【００６０】
例
以下の例は、図８に示すような接触を用いた装置１０２へ情報の伝送に関する処理を説明したものである。この例は、図５を参照して上述した処理の一例と一致する。
【００６１】
図８では、エマが装置１０２に円接触を記憶させてあり、記憶してある円パターンに基づいて、装置１０２が受け取ったいかなる円接触パターンでも確認できると仮定する。エマが食料品店で買い物をしており、装置１０２をもっているとしよう。Ｎａｔｕｒａｌ  Ｈｏｎｅｙ８０２の近くにいるとき、エマがジェスチャをして、棚８０８の製品説明プレート８０６に付されたＲＦＩＤタグ８０４の表面上に円パターンを描く。
【００６２】
ＲＦＩＤタグ８０４は、装置１０２から送信された搬送信号を後方散乱する。装置１０２は後方散乱した信号を受信し、信号を処理し、円接触パターンを検出する。装置１０２は、検出した円パターンと記憶する円パターンとを（パターンに関するパラメータを比較することで）比較し、後方散乱した信号によって提供されたタグ固有の情報を確認する。上述のように、代替実施形態では、ＲＦＩＤタグ８０４を能動的デバイスとして、接触に関する情報を装置１０２へ伝える信号を送信させることも可能である。
【００６３】
タグ固有の情報は、製品識別子、製品情報が得られるサーバのネットワークアドレス、認証情報、サーバアプリケーションのポート番号を提供する。装置１０２は、ＷＡＰ（図示せず）を介してネットワークに自動的に接続し、認証情報、ネットワークアドレス、ポート番号、認証情報を用いて、サーバアプリケーションとやり取りを行う。装置１０２はＮａｔｕｒａｌ  Ｈｏｎｅｙに関する情報をサーバアプリケーションからダウンロードする。
【００６４】
装置１０２の表示部に情報が示される。エマは、イヤフォン８１２や無線ヘッドセット（図示せず）で情報を聴くこともできる。情報が入手可能な際には装置１０２内のバイブレータが振動するものとすることもできる。この例では、イヤフォン８１２でＮａｔｕｒａｌ  Ｈｏｎｅｙに関する栄養情報を聴くことが可能で、「Ｎａｔｕｒａｌ  Ｈｏｎｅｙは、微量のナッツを含んでおります」と指摘するかもしれない。エマはナッツアレルギーであり、そのためＮａｔｕｒａｌ  Ｈｏｎｅｙを購入しないことにするかもしれない。
【００６５】
以上の例は、どのようにして接触を用いて装置１０２へ情報を伝送するかを説明するものである。しかしながら、例で説明した発想は、違う状況において実施および応用可能である。例えば、ある実施形態では、上述の機構を用いて、音楽やビデオクリップなどのメディアコンテンツを伝送することもできる。この例では、ユーザがある特定のパターンでメディアを表したタグに触れ、ユーザの装置へコンテンツが伝送されるものとすることができる。別の例では、ユーザが製品に触れ、その接触に対して、音や振動、あるいは製品の情報というフィードバックを装置１０２からユーザが得る（例えば装置１０２に連結したヘッドセットで）ものとすることもできる。
【００６６】
結論
前述の実施形態の説明は、説明を与えるものではあるが、網羅的なものとした意図はなく、あるいは開示した形態そのものに実施形態を限定する意図もない。上記の技術については、開示の実施から変更や変形が得られることもある。
【００６７】
例えば、図５に示した処理の一例に関して一連のブロックを説明したが、他の実施形態ではブロックの順番を変更することもできる。加えて、非従属のブロックが、他のブロックと並行して実行可能な動作を表すこともある。
【００６８】
ここで説明した態様が、図示した実施形態において、多種多様なソフトウェア、ファームウェア、ハードウェアで実施可能なことは明らかであろう。態様を実施するために用いる実際のソフトウェアコードや特定制御ハードウェアは、発明を限定するものではない。したがって、ソフトウェアおよび制御ハードウェアはここでの説明に基づく態様を実施するために設計可能であるという理解のもと、態様の動作および挙動については、特定のソフトウェアコードを参照することなく説明した。
【００６９】
「ｃｏｍｐｒｉｓｅｓ／ｃｏｍｐｒｉｓｉｎｇ」を本明細書で用いた場合、言明した特徴、整数、ステップ、または構成要素の存在を特定するものであるが、１または２以上の他の特徴、整数、ステップ、構成要素、またはその組合せの存在または追加を排除するものではないと解されることを強調したい。
【００７０】
さらに、実施形態のある部分は、１または２以上の機能を行う「論理回路（ｌｏｇｉｃ）」として説明した。この論理回路としては、プロセッサ、特定用途向け集積回路、電界プログラム可能ゲートアレイなどのハードウェア、ソフトウェア、ハードウェアとソフトウェアの組合せが挙げられる。
【００７１】
特徴の特定の組合せについて、特許請求の範囲における記載および／または明細書における開示を行うが、かかる組合せで発明を限定する意図はない。実際、かかる特徴の多くは、具体的に請求項の記載および／または明細書の開示にはないやり方で組み合わせることも可能である。
【００７２】
本出願で用いたいかなるエレメント、動作、命令も、明示していない限りは、ここで説明した実施形態に対して決定的または本質的であると考えるべきではない。また、「ａ」という冠詞は、１または２以上のアイテムを含むという意図がある。１つのアイテムを意図する場合は、「ｏｎｅ」という言葉や同様の言語を用いる。さらに、「ｂａｓｅｄ  ｏｎ（に基づく）」という表現は「ｂａｓｅｄ，ａｔ  ｌｅａｓｔ  ｉｎ  ｐａｒｔ，  ｏｎ（少なくとも部分的に基づく）」を意図しており、そうではない場合は明示してある。
【図１】
2010541089.tif 000003
【図２】
2010541089.tif 000004
【図３】
2010541089.tif 000005
【図４】
2010541089.tif 000006
【図５】
2010541089.tif 000007
【図６Ａ】
2010541089.tif 000008
【図６Ｂ】
2010541089.tif 000009
【図６Ｃ】
2010541089.tif 000010
【図７】
2010541089.tif 000011
【図８】
2010541089.tif 000012
【手続補正書】
【提出日】平成22年4月5日(2010.4.5)
【手続補正１】
【補正対象書類名】特許請求の範囲
【補正対象項目名】全文
【補正方法】変更
【補正の内容】
【特許請求の範囲】
【請求項１】
タグへ搬送信号を送信し、前記タグから後方散乱信号を取得することと、
前記タグ上の接触パターンの情報を含む前記後方散乱信号を受信することと、
受信した前記後方散乱信号に基づいて前記接触パターンを識別することと、
識別した前記接触パターンと前記後方散乱信号を受信する前に記憶された情報とを比較することで、受信した前記後方散乱信号におけるタグ固有の情報を確認することと、
前記タグ固有の情報が確認された場合、前記タグ固有の情報で特定される動作を行うことと
を含む方法。
【請求項２】
前記接触パターンを識別することは、
１または２以上の接触で形成されたジェスチャを識別すること
を含み、ジェスチャを識別することは、
１本指ジェスチャ、２本指ジェスチャ、連続ジェスチャ、不連続ジェスチャ、近接ジェスチャ、スイープジェスチャのうちの少なくとも１つとして前記ジェスチャを識別すること
を含む、請求項１に記載の方法。
【請求項３】
ユーザから第１の接触パターンを受け取ることと、
前記第１の接触パターンからパラメータを識別することと、
識別した前記パラメータを記憶することと
をさらに含む、請求項１に記載の方法。
【請求項４】
パラメータを識別することは、
前記第１の接触パターンを完了するまでの時間を測定すること、
各接触の指のサイズを測定すること、
指の動きの速さを測定すること、
接触ごとに指の形を判定すること、
指の間の距離を測定すること、
前記ユーザと前記タグとの間の距離を測定すること、
指紋を判定すること
のうちの少なくとも１つを含む、請求項３に記載の方法。
【請求項５】
動作を行うことは、
ネットワークにおける遠隔装置から情報をダウンロードすること、
商取引を完了することと
のうちの少なくとも１つを含む、請求項１に記載の方法。
【請求項６】
遠隔タグへ信号を送信し、前記遠隔タグから後方散乱信号を送信させる手段と、
前記遠隔タグから前記後方散乱信号を受信する手段と、
受信した前記後方散乱信号に基づいて前記遠隔タグ上の１または２以上の接触を識別する手段と、
識別した前記１または２以上の接触に基づいてジェスチャを識別する手段と、
識別した前記ジェスチャからパラメータを抽出する手段と、
抽出した前記パラメータと記憶されたパラメータとを比較する手段と、
抽出した前記パラメータと前記記憶されたパラメータとを比較した結果、一致した場合、受信した前記後方散乱信号が提供する情報に基づいて遠隔装置と通信する手段と
を備える装置。
【請求項７】
前記信号は、
前記遠隔タグに固有の情報、
前記遠隔タグが接触されたかどうかを示す情報、
接触パターンを識別する情報
のうちの少なくとも１つを含む、請求項６に記載の装置。
【請求項８】
前記１または２以上の接触を識別する手段は、
前記タグからの前記後方散乱信号の強度グラフに基づいて１または２以上の接触を識別する手段
を備える、請求項６に記載の装置。
【請求項９】
前記遠隔装置と通信する手段は、
前記情報で識別される製品の購入に関連した情報を提供する手段、
ネットワークにおける遠隔装置からコンテンツをダウンロードする手段
のうちの少なくとも１つを備える、請求項６に記載の装置。
【請求項１０】
前記遠隔装置と通信する手段は、
前記情報で参照されるデータの要求を送る手段と、
前記要求に応じて前記遠隔装置から送られてくる前記データを受け取る手段と
を備える、請求項９に記載の装置。
【国際調査報告】
2010541089.tif 000013
2010541089.tif 000014
2010541089.tif 000015